(57)【要約】【課題】どこででも使用できる汎用性と高い超音波振動出力とを兼ね備え、使用者に疲労を感じさせることなく短時間で効果的な洗浄を行うことのできる超音波洗浄装置を提供する。【解決手段】超音波洗浄装置１は、本体部１０と、本体部１０から露出する超音波振動ホーン２１と、超音波振動ホーン２１に液体を供給する給液手段２６と、本体部１０を任意箇所に取り付ける取付手段３０とを具備する。取付手段３０は支持アーム３６を含み、全自動洗濯機５１のような取付対象に取り付けることができる。支持アーム３６は伸縮可能であって、引張コイルバネ４１により縮小方向に付勢されているとともに、固定ネジ３９により任意長さで伸縮を止めることもできる。本体部１０は取付手段３０に対する姿勢又は位置を変更できる。【選択図】　　　図７
2004121712.tif 000002
【特許請求の範囲】
【請求項１】
本体部と、この本体部から露出する超音波振動ホーンと、この超音波振動ホーンに液体を供給する給液手段と、前記本体部を任意箇所に取り付ける取付手段とを具備したことを特徴とする超音波洗浄装置。
【請求項２】
前記超音波振動ホーンを超音波振動させる駆動回路を前記本体部又は前記取付手段に付設したことを特徴とする請求項１に記載の超音波洗浄装置。
【請求項３】
前記取付手段が吸着力を用いた取付部を備えていることを特徴とする請求項１又は請求項２に記載の超音波洗浄装置。
【請求項４】
前記取付手段は単数又は複数の棒状又は板状の支持アームを含み、この支持アームの端又は途中に取付部が設けられていることを特徴とする請求項１〜請求項３のいずれかに記載の超音波洗浄装置。
【請求項５】
前記支持アームを伸縮可能としたことを特徴とする請求項４に記載の超音波洗浄装置。
【請求項６】
前記支持アームを伸縮いずれかの方向にバネで付勢したことを特徴とする請求項５に記載の超音波洗浄装置。
【請求項７】
前記支持アームが任意長さで伸縮を止められるものであることを特徴とする請求項５又は請求項６に記載の超音波洗浄装置。
【請求項８】
前記支持アームの外側にスライド可能な取付部を設けたことを特徴とする請求項４に記載の超音波洗浄装置。
【請求項９】
前記スライド可能な取付部をいずれかのスライド方向にバネで付勢したことを特徴とする請求項８に記載の超音波洗浄装置。
【請求項１０】
前記スライド可能な取付部が任意の位置で動きを止められるものであることを特徴とする請求項８又は請求項９に記載の超音波洗浄装置。
【請求項１１】
前記本体部が前記取付手段に対し姿勢変更可能であることを特徴とする請求項１〜請求項１０のいずれかに記載の超音波洗浄装置。
【請求項１２】
前記本体部の姿勢変更を抑止するロック手段を設けたことを特徴とする請求項１１に記載の超音波洗浄装置。
【請求項１３】
前記本体部が前記取付手段に対し位置変更可能であることを特徴とする請求項１〜請求項１２のいずれかに記載の超音波洗浄装置。
【請求項１４】
前記本体部が前記取付手段に対し着脱可能であることを特徴とする請求項１〜請求項１３のいずれかに記載の超音波洗浄装置。
【請求項１５】
前記給液手段とそれ以外の箇所とに水を並行して供給する受水部を備えていることを特徴とする請求項１〜請求項１４のいずれかに記載の超音波洗浄装置。
【請求項１６】
前記給液手段により供給された液体を受けるトレイを前記本体部に組み合わせたことを特徴とする請求項１〜請求項１５のいずれかに記載の超音波洗浄装置。
【発明の詳細な説明】
【０００１】
【発明の属する技術分野】
本発明は布帛類を部分洗いすることのできる超音波洗浄装置に関する。
【０００２】
【従来の技術】
超音波を用いて洗浄を行う装置はこれまでにも数多く提案されている。特許文献１や特許文献２にはハンディタイプの超音波洗浄装置が記載されている。この装置は手持ち式のケーシングに内蔵された超音波振動子に超音波ホーンを接合し、洗浄液に浸して洗浄液を含ませた被洗浄物を超音波ホーンの先端部に接触させて洗浄を行う。電源はケーシングに収納した電池である。
【０００３】
【特許文献１】
特開２００１−３１００９４号公報
【特許文献２】
特開２００１−３１０１６５号公報
【０００４】
【発明が解決しようとする課題】
上記従来の超音波洗浄装置は小型軽量を旨としており、超音波振動の出力が小さいので、十分な洗浄効果を得るためには被洗浄物の上を何度も往復させる必要がある。これを繰り返していれば、いかに小型軽量といえども手が疲れる。また超音波洗浄装置の保持に片手を使うので、残りの片手だけで被洗浄物を保持しなければならない。従って被洗浄物をぴんと張ることができず、超音波洗浄装置を滑らせているうちにしわが寄ったり、よじれたりする。しわやよじれが生じた状態では超音波ホーンを最適な状態で被洗浄物に接触させることができず、洗浄能力を十分に発揮させられないだけでなく、しわやよじれの部分に洗浄むらや洗浄残りが発生しやすかった。
【０００５】
本発明は上記の問題に鑑みなされたものであり、どこででも使用できる汎用性と高い超音波振動出力とを兼ね備え、使用者に疲労を感じさせることなく短時間で効果的な洗浄を行うことのできる超音波洗浄装置を提供することを目的とする。
【０００６】
【課題を解決するための手段】
上記目的を達成するため、本発明では超音波洗浄装置を次のように構成した。
【０００７】
（１）超音波洗浄装置が、本体部と、この本体部から露出する超音波振動ホーンと、この超音波振動ホーンに液体を供給する給液手段と、前記本体部を任意箇所に取り付ける取付手段とを具備するものとした。
【０００８】
この構成によれば、超音波洗浄装置は任意箇所に取り付けて使用するものであり、手持ちで洗浄作業を行うことを考えなくて良いので、重量軽減は最重要ファクターにはならない。そのため、小型軽量だが小出力の超音波振動装置でなく、大型大出力の超音波振動装置を備えさせることができる。従ってエネルギーレベルの高い超音波を広い範囲に伝えることができ、短時間で効果的な洗浄を行うことが可能となる。使用者が超音波洗浄装置の重量を支えなくて済むので使用者の疲労の程度も小さい。
【０００９】
また使用者は両手が使えるので被洗浄物をしわやよじれが生じないように適度に張った状態で保持することができる。これにより超音波振動ホーンと被洗浄物との接触状態が最適になるよう被洗浄物の押し当て状態を加減し、超音波洗浄装置の洗浄能力を十分に発揮させることができる。また超音波振動ホーンに液体を供給する給液手段を備えているので、洗浄スポットを最適の湿潤状態に保ちつつ洗浄作業を行うことができる。被洗浄物全体を予め液体に浸して濡らしておく必要もない。
【００１０】
（２）上記のような超音波洗浄装置において、前記超音波振動ホーンを超音波振動させる駆動回路を前記本体部又は前記取付手段に付設するものとした。
【００１１】
この構成によれば、駆動回路を本体部又は取付手段とユニット化することができ、全体の構成をコンパクト化できる。またデザイン的にもまとまったものとなる。
【００１２】
（３）上記のような超音波洗浄装置において、前記取付手段が吸着力を用いた取付部を備えているものとした。
【００１３】
この構成によれば、超音波洗浄装置の取付が簡単になる。取り外して他の箇所に固定するのも簡単なので、使用範囲が広がり、使用性が向上する。
【００１４】
（４）上記のような超音波洗浄装置において、前記取付手段は単数又は複数の棒状又は板状の支持アームを含み、この支持アームの端又は途中に取付部が設けられているものとした。
【００１５】
この構成によれば、洗濯機や流し台のような比較的広い取付スパンを有する取付対象にも超音波洗浄装置を簡単に取り付けることができる。足を大きく踏ん張ったような形になるので取付も安定する。
【００１６】
（５）上記（４）に記載の超音波洗浄装置において、前記支持アームを伸縮可能とした。
【００１７】
この構成によれば、取付対象の大きさに合わせて支持アームの長さを調節できるので、取付場所の選択肢が広がる。
【００１８】
（６）上記（５）に記載の超音波洗浄装置において、前記支持アームを伸縮いずれかの方向にバネで付勢するものとした。
【００１９】
この構成によれば、支持アームの長さを取付対象の大きさに合わせて厳密に調整しなくても、両端の取付部を取付対象にあてがえばバネの弾力で支持アームが取付対象と相互固定関係に入る。従って超音波洗浄装置の取付を簡単に、素早く行うことができる。
【００２０】
（７）上記（５）又は（６）に記載の超音波洗浄装置において、前記支持アームは任意長さで伸縮を止められるものとした。
【００２１】
この構成によれば、任意長さで支持アームの伸縮を止め、取付対象から外れないように確実に固定することができる。
【００２２】
（８）上記（４）に記載の超音波洗浄装置において、前記支持アームの外側にスライド可能な取付部を設けた。
【００２３】
この構成によれば、取付対象の大きさに合わせて取付部の位置を調節できるので、取付場所の選択肢が広がる。
【００２４】
（９）上記（８）に記載の超音波洗浄装置において、前記スライド可能な取付部いずれかのスライド方向にバネで付勢するものとした。
【００２５】
この構成によれば、取付部の位置を取付対象の大きさに合わせて厳密に調整しなくても、取付部を取付対象にあてがえばバネの弾力で支持アームが取付対象と相互固定関係に入る。従って超音波洗浄装置の取付を簡単に、素早く行うことができる。
【００２６】
（１０）上記（８）又は（９）に記載の超音波洗浄装置において、前記スライド可能な取付部が任意の位置で動きを止められるものとした。
【００２７】
この構成によれば、任意の位置で取付部の動きを止め、支持アームを取付対象から外れないように確実に固定することができる。
【００２８】
（１１）上記のような超音波洗浄装置において、前記本体部が前記取付手段に対し姿勢変更可能であるものとした。
【００２９】
この構成によれば、本体部の姿勢を調整して楽な態勢で洗浄作業を行うことができる。使用しないときは邪魔にならない姿勢、すなわち収納姿勢で保管することができる。
【００３０】
（１２）上記のような超音波洗浄装置において、前記本体部の姿勢変更を抑止するロック手段を設けた。
【００３１】
この構成によれば、洗浄時や収納時など、本体部が特定の姿勢を保つべきときに本体部をふらつかないようにロックすることができる。これにより、洗浄時においては洗浄を着実に遂行でき、また収納時においては本体部が不用意に動いて他の物に当たるといった事態を防ぐことができる。
【００３２】
（１３）上記のような超音波洗浄装置において、前記本体部が前記取付手段に対し位置変更可能であるものとした。
【００３３】
この構成によれば、本体部の位置を調整して都合の良い位置で洗浄作業を行うことができる。使用しないときは邪魔にならない位置、すなわち収納位置で保管することができる。
【００３４】
（１４）上記のような超音波洗浄装置において、前記本体部が前記取付手段に対し着脱可能であるものとした。
【００３５】
この構成によれば、必要な場合、本体部を取付手段から取り外して手持ちで洗浄作業を行うことができる。これにより、洗浄装置と被洗浄物との相対位置関係を自由に取ることが可能となり、洗浄装置の用途が一層広がる。
【００３６】
（１５）上記のような超音波洗浄装置において、前記給液手段とそれ以外の箇所とに水を並行して供給する受水部を備えているものとした。
【００３７】
この構成によれば、超音波洗浄装置以外にも水を必要とする機器あるいは場所がある場合、そのような機器あるいは場所に水を供給しつつ超音波洗浄装置を駆動することができる。例えば１個の蛇口を洗濯機と共有することが可能である。
【００３８】
（１６）上記のような超音波洗浄装置において、前記給液手段により供給された液体を受けるトレイを前記本体部に組み合わせた。
【００３９】
この構成によれば、洗浄作業に使用した液体をトレイで集めて処理することができる。従って直ちに液体を流すことのできない場所でも超音波洗浄装置の使用が可能となる。
【００４０】
【発明の実施の形態】
以下、本発明の実施形態を図１〜１０に基づき説明する。
【００４１】
図１は超音波洗浄装置１の本体部１０の垂直断面図、図２は超音波振動ホーン２１の正面図である。この本体部１０に図５以下に示す取付手段３０その他の要素が組み合わせられ、各種の実施形態が構成される。
【００４２】
本体部１０は合成樹脂製の筐体１１を有する。筐体１１は水平方向に延びるアームの形状を有し、その一方の端が根元部となる。この部分を合成樹脂製のベース３１に連結する。ベース３１は取付手段３０の一部をなす。取付手段３０は本体部１０を任意箇所に取り付けるためのものである。本明細書において、「任意箇所」の語には、「その取付手段の使用が可能な箇所のうち、任意の箇所」という意味を持たせている。場所を選ばずどこにでも設置できるという意味ではない。取付手段３０が具体的にどのような形状、構造のものになるかについては、後で図５以下の図により説明する。
【００４３】
ベース３１からは垂直な支軸３２が立ち上がり、この支軸３２が本体部１０を水平面内で旋回できるように支える。支軸３２にねじ込まれた抜け止めネジ１２が本体部１０の抜け止めを行う。本体部１０には支軸３２に係合するロック手段１３が設けられる。ロック手段１３が機能を果たしている間は本体部１０は旋回しない。ロック手段１３は図示しないバネにより支軸３２に押しつけられており、本体部１０に所定以上の力が加わるとロック解除状態となる。従って、本体部１０は外部から所定以上の力を加えることにより旋回させることができる。あるいは、外からロック手段１３を操作してロック解除できるようにしてもよい。
【００４４】
筐体１１の内部には超音波振動子２０及びこれに結合した超音波振動ホーン２１が配置されている。超音波振動ホーン２１は略Ｔ字形で、これを横に寝かせたものであり、先端のヘッド部２２が筐体１１の下面に設けた開口１４から露出する。ヘッド部２２の両側面からは突起２３が対称的に突出する。突起２３は振動伝達の分岐点である無振動域にあたる箇所に設けられている。この突起２３と、超音波振動ホーン２１のフランジ部２４とを利用して超音波振動子２０及び超音波振動ホーン２１の支持が行われる。
【００４５】
筐体１１の外側には超音波振動子２０の駆動回路２５が付設される。駆動回路２５からは図示しない電源コードが導出され、この電源コードが商用電源に接続される。
【００４６】
駆動回路２５は筐体１１の中に入れることもできる。あるいは、あるいは、取付手段３０の中に入れることもできる。このようにすることにより、駆動回路２５を本体部１０又は取付手段３０とユニット化することができ、全体の構成がコンパクトになるとともに、デザイン的にもまとまったものになる。
【００４７】
超音波振動ホーン２１のヘッド部２２に対し、給液手段２６が設けられる。給液手段２６はベース３１から筐体１１の中を通ってヘッド部２２の横まで配管されるチューブにより構成される。給液手段２６は図示しない水道の蛇口や洗浄液供給タンクなどに接続される。
【００４８】
駆動回路２５から超音波振動子２０への配線と、給液手段２６の引き回しは、本体部１０の旋回が妨げられないような態様で行う。
【００４９】
次に、超音波洗浄装置１の使用法について説明する。本体部１０に所定以上の力を加えてロックを解除する。洗浄作業を行う角度まで本体部１０を姿勢変更すると、ロック手段１３のロック状態が復活し、本体部１０の旋回は抑止される。このように準備を整えてから駆動回路２５への通電を開始し、超音波洗浄を始める。給液手段２６に通水し、被洗浄物に所定流量の水を滴らせつつ超音波洗浄を行う。
【００５０】
使用者は被洗浄物を両手で持ち、しわやよじれが生じないように適度に張った状態でヘッド部２２に押し当てる。この状態で被洗浄物をゆっくり動かすと、超音波のエネルギーが被洗浄物の濡れた箇所にキャビテーションを発生させ、汚れ成分を剥離させる。洗浄スポットが最適の湿潤状態になるよう、給液手段２６からの給液量を設定する。本体部１０はロック手段１３で動きを止められ、被洗浄物を動かしてもヘッド部２２はそのままの位置を保っているので、洗浄を着実に遂行できる。
【００５１】
被洗浄物を十分に洗浄できたら給水手段２６への通水と駆動回路２５への通電を断ち、洗浄作業を終了する。本体部１０に所定以上の力を加えてロックを解除し、収納時の角度まで本体部１０を姿勢変更すると、ロック手段１３のロック状態が復活し、本体部１０の旋回は抑止される。これにより、収納状態の本体部１０が不用意に動いて他の物に当たるという事態を防ぐことができる。
【００５２】
図３及び図４に超音波洗浄装置１の変形例を示す。図３は超音波洗浄装置１の本体部１０の垂直断面図、図２は超音波振動ホーン２１の正面図である。
【００５３】
図３の超音波洗浄装置１では、超音波振動ホーン２１が直行型になっている。すなわち超音波振動ホーン２１の真上に超音波振動子２０が設けられ、超音波振動子２０の振動がそのまま超音波振動ホーン２１の振動になる。超音波振動ホーン２１及び超音波振動子２０の支持は超音波振動ホーン２１のフランジ部２４によって行われる。
【００５４】
続いて、上記本体部１０と取付手段３０その他の構成要素との組み合わせにより実現される、超音波洗浄装置１の各実施形態につき説明する。
【００５５】
図５は超音波洗浄装置１の第１実施形態を示す斜視図である。この実施形態では、取付手段３０が断面コ字形の取付部３３を有する。取付部３３は流し台のシンク５０の縁をかかえるように設計されている。取付部３３をシンク５０の縁にはめ込めば超音波洗浄装置１の取付が完了する。取付部３３にネジを設け、締め付けて固定してもよい。接着剤で接着したり、シールで固定したりして、より強固に固定するようにしてもよい。
【００５６】
図６は超音波洗浄装置１の第２実施形態を示す斜視図である。この実施形態では、取付手段３０が平板状の取付部３４を有する。取付部３４の底面には吸着手段３５が設けられている。吸着手段３５は永久磁石からなる。このため、取付対象が鉄のような磁性体金属であれば、磁力による吸着力をもって取付手段３０を取り付けることができる。
【００５７】
吸着手段３５を永久磁石により構成するときは、１個の大型磁石で取付部３４の底面全体をカバーする構成としてもよく、取付部３４の底面に複数の小型磁石を点在させる構成としてもよい。
【００５８】
永久磁石は取付部３４に高さ可変に設置し、レバー操作などを通じ磁石を取付対象に近づけたり離したりできる構成にするとよい。このようにしておけば、永久磁石を取付対象に近づけたときは強い吸着力が働いて取付部３４が強固に固定される一方、磁石を吸着対象から離したときは吸着力が弱まって取付部３４を簡単に引き剥がすことができ、使い勝手がさらに向上する。
【００５９】
吸着手段３５を吸盤で構成し、材質を問わず平坦な面に取付部３４を固定できるようにしてもよい。吸盤の構成は、大型の吸盤を１個か２個用いることとしてもよく、小型の吸盤を多数用いることとしてもよい。またレバー操作などで吸盤形状を変化させて吸着／非吸着の選択を行えるようにしてもよい。
【００６０】
吸着手段３５は、貼着と剥離を何度も繰り返すことのできる粘着物質（事務用付箋に用いられているようなもの）をもって構成することもできる。
【００６１】
図７は超音波洗浄装置１の第３実施形態を示す斜視図である。この実施形態では、取付手段３０が棒状又は板状の支持アーム３６を含む。支持アーム３６は単数であっても複数であってもよい。支持アーム３６は市販の全自動洗濯機及び二槽式洗濯機の横幅をカバーできる長さとなっている。
【００６２】
支持アーム３６は互いに平行する２本のアーム部分を結合したものであり、伸縮可能に構成されている。すなわち各アーム部分において、外側アーム３７の中に内側アーム３８がスライド自在に入り込む。本体部１０は外側アーム３７に取り付けられる。手前側の外側アーム３７には内側アーム３８を圧迫する固定ネジ３９がねじ込まれており、この固定ネジ３９を締め付けることにより、支持アーム３６の伸縮を任意長さで止めることができる。この「任意長さ」とは、支持アーム３６の伸縮ストロークの範囲内における任意の長さという意味である。
【００６３】
外側アーム３７の端と内側アーム３８の端にはそれぞれ取付部４０が設けられる。取付部４０は下向きに折れ曲がったフックの形状をしている。固定ネジ３９を緩めて引き伸ばした状態の支持アーム３６を全自動洗濯機５１の上面に差し渡し、両側の取付部４０が全自動洗濯機５１をしっかりと挟み付けるところまで支持アーム３６を縮め、固定ネジ３９を締め付けて伸縮を止めれば、超音波洗浄装置１の取付は完了する。取付手段３０が全自動洗濯機５１から外れることのないよう、確実に固定することが可能である。
【００６４】
外側アーム３７と内側アーム３８の間にバネを入れ、支持アーム３６を縮小方向又は伸張方向に付勢することもできる。例えば外側アーム３７と内側アーム３８を引張コイルバネ４１で連結し、支持アーム３６を縮小方向に付勢することができる。この構成の場合、付勢力に抗して支持アーム３６を引き伸ばし、全自動洗濯機５１の上面に差し渡した後に手を離せば、取付部４０、４０が自動的に全自動洗濯機５１を挟み付け、超音波洗浄装置１の取付は完了する。
【００６５】
固定ネジ３９も併用し、取付部４０、４０が全自動洗濯機５１を挟み付けた後、固定ネジ３９を締め付けて支持アーム３６の伸縮を止めることとすれば、超音波洗浄装置１の取付態勢は一層万全のものとなる。
【００６６】
引張コイルバネ４１に替えて圧縮コイルバネを挿入し、支持アーム３６をいわゆる「突っ張りポール」のようにすることもできる。
【００６７】
全自動洗濯機や二槽式洗濯機にとどまらず、洗面台や流し台のシンクもカバーするように支持アーム３６の伸縮範囲を設定することも可能である。
【００６８】
図８は超音波洗浄装置１の第４実施形態を示す斜視図である。この実施形態は第３実施形態の変形例と言うべきものである。すなわち取付手段３０は互いに平行する２本のアーム部分を結合した支持アーム３６を含むが、この支持アーム３６は伸縮可能ではなく、その代わり、外側にスライダ形式の取付部４７を有している。
【００６９】
支持アーム３６の一方の端には取付部４０が設けられる。取付部４０の構成は第３実施形態と同じであり、下向きに折れ曲がったフックの形状となっている。
【００７０】
取付部４７には支持アーム３６を圧迫する固定ネジ３９がねじ込まれており、この固定ネジ３９を締め付けることにより、取付部４７は支持アーム３６の途中の任意の位置で止めることができる。
【００７１】
固定ネジ３９を緩めて取付部４７を支持アーム３６の端の方までスライドさせ、この状態で支持アーム３６を全自動洗濯機５１の上面に差し渡す。取付部４０との間で全自動洗濯機５１をしっかりと挟み付けるところまで取付部４７をスライドさせ、固定ネジ３９を締め付けて取付部４７の動きを止めれば、超音波洗浄装置１の取付は完了する。取付手段３０が全自動洗濯機５１から外れることのないよう、確実に固定することが可能である。
【００７２】
支持アーム３６と取付部４７の間にバネを入れ、取付部４７を支持アーム３６の中央側（本体部１０のある側）又はその反対側に付勢することもできる。例えば支持アーム３６と取付部４７を引張コイルバネ４１で連結し、取付部４７を支持アーム３６の中央側に付勢することができる。この構成の場合、付勢力に抗して取付部４７をスライドさせ、全自動洗濯機５１の上面に差し渡した後に手を離せば、取付部４０と取付部４７が自動的に全自動洗濯機５１を挟み付け、超音波洗浄装置１の取付は完了する。
【００７３】
固定ネジ３９も併用し、取付部４０と取付部４７が全自動洗濯機５１を挟み付けた後、固定ネジ３９を締め付けて取付部４７のスライドを止めることとすれば、超音波洗浄装置１の取付態勢は一層万全のものとなる。
【００７４】
引張コイルバネ４１に替えて圧縮コイルバネを挿入し、取付部４７が外側に突っ張るようにすることもできる。
【００７５】
全自動洗濯機や二槽式洗濯機にとどまらず、洗面台や流し台のシンクもカバーするように取付部４７のスライド範囲を設定することも可能である。
【００７６】
本体部１０は取付手段３０に対し姿勢変更可能である。図５のように流し台のシンク５０に超音波洗浄装置１を取り付けたときは、食器洗いや手洗いの邪魔にならない角度に本体部１０を回動させておくことができる。図７及び図８のように全自動洗濯機５１に超音波洗浄装置１を取り付けたときは、洗濯物の出し入れに邪魔にならない角度に本体部１０を回動させておくことができる。
【００７７】
第３実施形態や第４実施形態のように取付手段３０が長い場合には、さらに次の構成を付加することが可能である。すなわち取付部１０を取付手段３０に対し位置変更可能とするのである。
【００７８】
図７及び図８に即して言えば、支持アーム３６（図７にあっては支持アーム３６の中の外側アーム３７）に対する本体部１０の相対位置を変えられるようにする。このようにすることにより、本体部１０の位置を調整して都合の良い位置で洗浄作業を行うことができる。使用しないときは邪魔にならない位置、すなわち収納位置に本体部１０をずらして保管することができる。
【００７９】
これも第１から第４までのすべての実施形態について言えることであるが、本体部１０は取付手段３０に対し着脱可能である。抜け止めネジ１２を外して本体部１０を支軸３２から抜けば、取付手段３０から離れた場所へ本体部１０を運び、手持ちで洗浄作業を行うことができる。抜け止めネジ１２以外の連結手段を用い、本体部１０の着脱をもっと簡単に行えるようにしてもよい。
【００８０】
本体部１０に対する電力や水の供給は、本体部１０と取付手段３０とを連結チューブなどで連結しておくことにより、本体部１０を取り外した後も取付手段３０の方から行うことが可能である。あるいは、本体部１０に充電式の電源部や水タンクを備えさせ、コードレスの形式とすることもできる。
【００８１】
図９は超音波洗浄装置１の第５実施形態を示す斜視図である。この実施形態では、取付手段３０（第１実施形態から第４実施形態までのどの取付手段３０でもよい）が受水部４２を有する。受水部４２は水道の蛇口６０にホース６１を介して接続され、給液手段２６と、取付手段３０に受水部４２と並ぶように設けられた接続口４３とに水を並行して供給する。
【００８２】
接続口４３と全自動洗濯機５１とをホース６２で連結すれば、蛇口６０が１個しかなくても、超音波洗浄装置１と全自動洗濯機５１の両方を同時に使用することができる。接続口４３の数を増やせば、さらに多くの機器あるいは場所に水を供給することができる。
【００８３】
図１０は超音波洗浄装置１の第６実施形態を示す斜視図である。この実施形態では、本体部１０にトレイ４４を組み合わせる。トレイ４４は底面の１箇所に排水口４５を有し、栓４６がこれを閉ざす。
【００８４】
給液手段２６により供給された液体はトレイ４４で受けられる。従って、直ちに液体を流すことのできない場所でも超音波洗浄装置１を使用できる。洗浄作業終了後、液体を流すことのできる場所に超音波洗浄装置１を運び、栓４６を抜けば、排液処理は完了する。トレイ４４を本体部１０に対し着脱自在にすれば、排液処理は一層簡単になる。
【００８５】
以上、本発明の各種実施形態につき説明したが、これまでに示してきたものは発明の構成の例示であり、本発明の範囲はこれに限定されるものではなく、発明の主旨を逸脱しない範囲で更に種々の変更を加えて実施することができる。
【００８６】
【発明の効果】
本発明の超音波洗浄装置は、任意箇所に取り付けて使用することができ、使用者に疲労を感じさせることがない。また短時間で効果的な洗浄を行うことが可能である。使用者は両手を使って被洗浄物をしわやよじれが生じないように適度に張った状態で超音波振動ホーンに押し当てることができ、超音波洗浄装置の洗浄能力を十分に発揮させることができる。また被洗浄物をその場で濡らしつつ洗浄作業を行うことができる。取付手段は、吸着力を働かせることのできる場所、あるいは洗濯機や流し台のような広い取付スパンを有する取付対象に簡単に、しかも確実に取付可能である。超音波洗浄装置の本体部は洗浄作業のしやすい姿勢又は位置で使用することができる。水を使用する他の機器と超音波洗浄装置とを同時に使用すること、また直ちに液体を流すことのできない場所で超音波洗浄装置を使用することも可能である。
【図面の簡単な説明】
【図１】超音波洗浄装置本体部の縦断面図
【図２】図１の超音波振動ホーンの正面図
【図３】超音波洗浄装置本体部の変形例の縦断面図
【図４】図３の超音波振動ホーンの正面図
【図５】本発明の第１実施形態に係る超音波洗浄装置の斜視図
【図６】本発明の第２実施形態に係る超音波洗浄装置の斜視図
【図７】本発明の第３実施形態に係る超音波洗浄装置の斜視図
【図８】本発明の第４実施形態に係る超音波洗浄装置の斜視図
【図９】本発明の第５実施形態に係る超音波洗浄装置の斜視図
【図１０】本発明の第６実施形態に係る超音波洗浄装置の斜視図
【符号の説明】
１　　超音波洗浄装置
１０　本体部
１１　筐体
１２　抜け止めネジ
１３　ロック手段
２０　超音波振動子
２１　超音波振動ホーン
２５　駆動回路
２６　給水手段
３０　取付手段
３１　ベース
３２　支軸
３３　取付部
３４　取付部
３５　吸着手段
３６　支持アーム
３９　固定ネジ
４０　取付部
４１　引張コイルバネ
４２　受水部
４３　接続部
４４　トレイ
４５　排水口
４６　栓
４７　取付部
５０　シンク
５１　全自動洗濯機
【図１】
2004121712.tif 000003
【図２】
2004121712.tif 000004
【図３】
2004121712.tif 000005
【図４】
2004121712.tif 000006
【図５】
2004121712.tif 000007
【図６】
2004121712.tif 000008
【図７】
2004121712.tif 000009
【図８】
2004121712.tif 000010
【図９】
2004121712.tif 000011
【図１０】
2004121712.tif 000012